(57)【要約】【課題】回転ユニット（開閉部）の重量が変化した場合に確実に開閉速度を制御する。【解決手段】反転ユニット５４が回転ユニット５２に装着されると、反転ユニット５４に設けられた押しばね７４が、回転ユニット５２へ開放抵抗を付加する。これにより、回転ユニット５２を装着することにより、回転ユニット５２の重量が増しても、回転ユニット５２の開閉速度が制御される。このように、反転ユニット５４を回転ユニット５２に装着することにより、回転ユニット５２へ開放抵抗が付加されるので、別途、開閉抵抗を付加するための作業を必要とせず、確実に、回転ユニット５２の重量が変化した場合に開閉速度が制御される。【選択図】図９
2008116802.tif 000002
【特許請求の範囲】
【請求項１】
装置本体に開閉可能に取り付けられた開閉部と、
前記開閉部に着脱される追加ユニットと、
前記追加ユニットが前記開閉部に装着されると前記開閉部へ開放抵抗を付加する抵抗付加手段と、
を備えたことを特徴とする開閉部の開閉機構。
【請求項２】
前記抵抗付与手段は、一端部が前記追加ユニットを押圧し、他端部が前記装置本体に設けられた受け部を押圧する押しばねであることを特徴とする請求項１に記載の開閉部の開閉機構。
【請求項３】
前記抵抗付与手段は、一端部が前記追加ユニットに連結され、他端部が前記装置本体へ連結可能な引っ張りばねであることを特徴とする請求項１に記載の開閉部の開閉機構。
【請求項４】
前記抵抗付与手段は、前記装置本体に設けられたダンパ部と、一端部が前記追加ユニットに連結され他端部が前記ダンパ部に連結可能なリンク部材とを備えて構成され、
前記ダンパ部は、前記リンク部材が連結されることにより、前記開閉部へ開放抵抗を付加することを特徴とする請求項１に記載の開閉部の開閉機構。
【請求項５】
前記抵抗付加手段は、前記開閉部へ開放抵抗を付与する弾性部材と、前記弾性部材の変形量を増大させて前記開閉部へ開放抵抗を付加する弾性部材変形手段とを備えていることを特徴とする請求項１に記載の開閉部の開閉機構。
【請求項６】
前記抵抗付加手段は、一端部が前記装置本体の回転軸にスライド移動可能に取り付けられ、他端部が前記開閉部に回転可能に取り付けられたレール部材を備え、
前記弾性部材は、前記回転軸と前記レール部材に設けられた止板との間に挟まれ、前記レール部材を前記装置本体側へ押圧する押しばねであり、
前記弾性部材変形手段は、前記追加ユニットに設けられ前記レール部材の他端部に係合して前記レール部材を前記開閉部側へ変位させる係合部で構成されていることを特徴とする請求項５に記載の開閉部の開閉機構。
【請求項７】
前記弾性部材は、一端部が前記装置本体に取り付けられ他端部が前記開閉部に着脱可能に取り付けられた引っ張りばねであり、
前記弾性部材変形手段は、前記追加ユニットに設けられ前記引っ張りばねの他端部が取付けられる取付部で構成されていることを特徴とする請求項５に記載の開閉部の開閉機構。
【請求項８】
請求項１〜７のいずれか１項に記載の開閉部の開閉機構を備えたことを特徴とする画像形成装置。
【発明の詳細な説明】
【技術分野】
【０００１】
本発明は、開閉部の開閉機構及び画像形成装置に関する。
【背景技術】
【０００２】
開閉部の開閉機構としては、特許文献１に開示される開閉部の開閉機構が公知である。
【０００３】
特許文献１の開閉機構では、支持軸を支点に下部機体に対し、開閉部としての上部機体を開閉自在に連結し、２つの機体間に回転ダンパとリンク機構とからなるダンパ機構を設けている。回転ダンパが下部機体側に取り付けられ、また、２つのアームを軸で回動自在に連結してなるリンク機構が回転ダンパの回転軸と上部機体との間に取り付けられている。上部機体には、支持軸からの距離が異なる複数の位置に、それぞれ孔が設けられ、そのいずれかにアームの一端を回動自在に取り付け可能であり、下部機体にも、上記の孔と対応する位置のいずれかに回転ダンパを固定した状態に取り付け可能であって、これらの取り付け位置は上部機体に加わる重量に応じて選択される。
【０００４】
これにより、開閉自在に連結される２つの機体間の開閉速度をダンパ機構を用いて制御する機体開閉装置において、開閉部の重量の変化に対しても新たな専用部材を設けることなく、一定の開閉速度制御機能を実現できる。
【特許文献１】特開平７−１０３２７６号公報
【発明の開示】
【発明が解決しようとする課題】
【０００５】
しかしながら、特許文献１の構成では、開閉速度を制御するためにアームの取付け位置を変更する必要があるため、アームの取付け位置の変更作業が煩雑であり、面倒である。また、オペレータ等がアームの取付け位置を変更する必要があるため、開閉部の重量が変わった場合に、アームの取付け位置を変更するのを忘れてしまったら、開閉速度は制御されない。
【０００６】
本発明は、上記事実を考慮し、開閉部の重量が変化した場合に確実に開閉速度を制御できる開閉部の開閉機構及び画像形成装置を提供することを目的とする。
【課題を解決するための手段】
【０００７】
本発明の請求項１に係る開閉部の開閉機構は、装置本体に開閉可能に取り付けられた開閉部と、前記開閉部に着脱される追加ユニットと、前記追加ユニットが前記開閉部に装着されると前記開閉部へ開放抵抗を付加する抵抗付加手段と、を備えたことを特徴とする。
【０００８】
この構成によれば、装置本体に開閉可能に取り付けられた開閉部に、追加ユニットが着脱される。追加ユニットが開閉部に装着されると、追加ユニットに設けられた抵抗付加手段が、開閉部へ開放抵抗を付加する。これにより、追加ユニットを装着することにより、開閉部の重量が増しても、開閉部の開閉速度が制御される。
【０００９】
このように、追加ユニットを開閉部に装着することにより、開閉部へ開放抵抗が付加されるので、別途、開閉抵抗を付加するための作業を必要とせず、確実に、開閉部の重量が変化した場合に開閉速度が制御される。
【００１０】
本発明の請求項２に係る開閉部の開閉機構は、請求項１の構成において、前記抵抗付与手段は、一端部が前記追加ユニットを押圧し、他端部が前記装置本体に設けられた受け部を押圧する押しばねであることを特徴とする。
【００１１】
この構成によれば、一端部が追加ユニットを押圧し、他端部が装置本体に設けられた受け部を押圧する押しばねにより、開閉部へ開放抵抗が付加される。
【００１２】
このように、押しばねによって開閉部へ開放抵抗が付加されるので、簡易な構成で、確実に、開閉部の重量が変化した場合に開閉速度が制御される。
【００１３】
本発明の請求項３に係る開閉部の開閉機構は、請求項１の構成において、前記抵抗付与手段は、一端部が前記追加ユニットに連結され、他端部が前記装置本体へ連結可能な引っ張りばねであることを特徴とする。
【００１４】
この構成によれば、一端部が前記追加ユニットに連結され、他端部が前記装置本体へ連結可能な引っ張りばねにより、開閉部へ開放抵抗が付加される。
【００１５】
このように、引っ張りばねによって開閉部へ開放抵抗が付加されるので、簡易な構成で、確実に、開閉部の重量が変化した場合に開閉速度が制御される。
【００１６】
本発明の請求項４に係る開閉部の開閉機構は、請求項１の構成において、前記抵抗付与手段は、前記装置本体に設けられたダンパ部と、一端部が前記追加ユニットに連結され他端部が前記ダンパ部に連結可能なリンク部材とを備えて構成され、前記ダンパ部は、前記リンク部材が連結されることにより、前記開閉部へ開放抵抗を付加することを特徴とする。
【００１７】
この構成によれば、一端部が追加ユニットに連結されたリンク部材の他端部を、装置本体に設けられたダンパ部へ連結する。ダンパ部は、リンク部材が連結されることにより、開閉部へ開放抵抗を付加する。
【００１８】
このように、ダンパ部が装置本体側に設けられているので、追加ユニットの重量が重くならず、開閉部の重量変化が小さく、開閉部の開閉速度が制御しやすい。
【００１９】
本発明の請求項５に係る開閉部の開閉機構は、請求項１の構成において、前記抵抗付加手段は、前記開閉部へ開放抵抗を付与する弾性部材と、前記弾性部材の変形量を増大させて前記開閉部へ開放抵抗を付加する弾性部材変形手段とを備えていることを特徴とする。
【００２０】
この構成によれば、弾性部材変形手段が、開閉部へ開放抵抗を付与する弾性部材の変形量を増大させて、開閉部へ開放抵抗を付加する。
【００２１】
このように、弾性部材を追加するのではなく、もともとある弾性部材を利用して、開閉部へ開放抵抗を付加する。このため、部品点数の低減になり、装置の省スペース化につながる。
【００２２】
本発明の請求項６に係る開閉部の開閉機構は、請求項５の構成において、前記抵抗付加手段は、一端部が前記装置本体の回転軸にスライド移動可能に取り付けられ、他端部が前記開閉部に回転可能に取り付けられたレール部材を備え、前記弾性部材は、前記回転軸と前記レール部材に設けられた止板との間に挟まれ、前記レール部材を前記装置本体側へ押圧する押しばねであり、前記弾性部材変形手段は、前記追加ユニットに設けられ前記レール部材の他端部に係合して前記レール部材を前記開閉部側へ変位させる係合部で構成されていることを特徴とする。
【００２３】
本発明の請求項７に係る開閉部の開閉機構は、請求項５の構成において、前記弾性部材は、一端部が前記装置本体に取り付けられ他端部が前記開閉部に着脱可能に取り付けられた引っ張りばねであり、前記弾性部材変形手段は、前記追加ユニットに設けられ前記引っ張りばねの他端部が取付けられる取付部で構成されていることを特徴とする。
【００２４】
本発明の請求項８に係る画像形成装置は、請求項１〜７のいずれか１項に記載の開閉部の開閉機構を備えたことを特徴とする。
【発明の効果】
【００２５】
本発明は、上記構成としたので、開閉部の重量が変化した場合に確実に開閉速度を制御できる。
【発明を実施するための最良の形態】
【００２６】
〔第１実施形態〕
まず、本発明に係る第１実施形態を図面に基づき説明する。
【００２７】
（本実施形態に係る画像形成装置の全体構成）
まず、本実施形態に係る画像形成装置１０の全体構成について説明する。図１には、本実施形態に係る画像形成装置１０の全体構成が示されている。なお、説明の便宜上、後述の開閉カバー５０が取り付けられている側を装置の前方として、反対側を装置の後方として説明する（図１参照）。
【００２８】
画像形成装置１０は、図１に示すように、装置本体１２を備えている。装置本体１２は、マイクロコンピュータにより構成されたコントローラ１４と、コントローラにより作動を制御されるＩＰＳ（イメージプロセッシングシステム）１６と、レーザ駆動回路１８と、電源装置２０とを有している。電源装置２０は、後述の帯電ロール２２、現像ロール２４、１次転写ロール２６及び２次転写ロール２８等にバイアス電圧を印加する。
【００２９】
ＩＰＳ１６は、外部のホストコンピュータ等から入力された画像データを潜像形成用の画像データに変換して、所定のタイミングでレーザ駆動回路１８に出力する。レーザ駆動回路１８は、入力された画像データに応じてレーザ駆動信号を露光装置３０に出力する。露光装置３０は、レーザ駆動信号に応じて画像書き込み用のレーザビームＬを照射する。
【００３０】
露光装置３０の上方に配置された回転駆動する感光体ドラム３２は、その表面が帯電ロール２２により一様に帯電された後、所定の潜像書込位置において露光装置３０のレーザビームＬにより露光走査されて静電潜像が形成される。フルカラー画像を形成する場合は、Ｋ（黒）、Ｙ（イエロー）、Ｍ（マゼンタ）、Ｃ（シアン）の４色の画像に対応した静電潜像が順次形成され、モノクロ画像の場合はＫ（黒）画像に対応した静電潜像のみが形成される。静電潜像が形成された感光体ドラム３２の表面は、回転移動して現像領域、１次転写領域を順次通過する。
【００３１】
露光装置３０の上方には、ロータリ式の現像装置３４が配置されている。ロータリ式の現像装置３４は、回転軸の回転に伴って現像領域に順次回転移動するＫ（黒）、Ｙ（イエロー）、Ｍ（マゼンタ）、Ｃ（シアン）の４色の現像器３４Ａ、３４Ｂ、３４Ｃ、３４Ｄを有している。各色の現像器３４Ａ、３４Ｂ、３４Ｃ、３４Ｄは、現像領域に現像剤を搬送する現像ロール２４を有しており、現像領域を通過する感光体ドラム３２の静電潜像をトナー像に現像する。
【００３２】
各現像器３４Ａ、３４Ｂ、３４Ｃ、３４Ｄの現像容器には、それぞれトナー補給用カートリッジ３５から各色のトナーが補給されるように構成されている。
【００３３】
感光体ドラム３２の前方には、感光体ドラム３２に巻き付けられた中間転写ベルト３６が配置されている。中間転写ベルト３６は、複数の従動ロール３８、巻き付き開始位置に配置されたラップインロール４０、１次転写バイアスが印加される１次転写ロール２６、巻き付き終了位置に配置されたラップアウトロール４２及びバックアップロール４４によって回転可能に支持されている。そして、画像形成動作時には、中間転写ベルト３６は回転駆動する感光体ドラム３２に従動して矢印Ｂ方向に回転する。
【００３４】
フルカラー画像を形成する場合、潜像書込位置において第１色目の静電潜像が形成され、現像領域において１色目のトナー像が形成される。このトナー像は、ラップインロール４０からラップアウトロール４２の間の１次転写領域を通過する際に、１次転写ロール２６によって中間転写ベルト３６上に静電的に１次転写される。その後同様にして、第１色目のトナー像を保持した中間転写ベルト３６上に、第２色目、第３色目、第４色目のトナー像が順次重ねて１次転写され、最終的にフルカラーの多重トナー像が中間転写ベルト３６上に形成される。
【００３５】
単色のモノカラー画像を形成する場合には１個の現像器のみを使用し、単色トナー像が中間転写ベルト３６上に１次転写される。１次転写後、感光体ドラム３２表面に残留した残留トナーは、ドラムクリーナ４６によりクリーニングされる。
【００３６】
バックアップロール４４に対向する位置には、２次転写ロール２８が、図示しない離接装置によって、バックアップロール４４に対して離隔した位置と接触した位置との間で移動可能に配置されている。バックアップロール４４及び２次転写ロール２８の接触領域により２次転写領域が形成されている。
【００３７】
２次転写ロール２８には、現像装置３４で使用するトナーの帯電極性と逆極性の２次転写電圧が電源装置２０から供給され、電源装置２０はコントローラ１４により制御される。
【００３８】
装置本体１２の下部には、記録シートＳを収容する給紙トレイ４８が配置されており、給紙トレイ４８内の記録シートＳはシート載置プレート４７により、シート最上面がピックアップロール４５に当接する給紙位置に保持されている。給紙トレイ４８に収容された記録シートＳは、所定のタイミングでピックアップロール４５により取り出され、フィードロール４３およびリタードロール４１により１枚ずつ分離されて、シート搬送路１５の搬送ロール対１１Ａによりレジロール３７に搬送される。また、手差し給紙トレイ１３にセットされた記録シートＳは、手差し給紙ロール３３によりレジロール３７に搬送される。レジロール３７に搬送された記録シートＳは、１次転写された多重トナー像又は単色トナー像が２次転写領域に移動するのにタイミングを合わせて２次転写領域に搬送される。
【００３９】
２次転写領域において２次転写ロール２８は、中間転写ベルト３６上のトナー像を記録シートＳに静電的に２次転写する。２次転写後の中間転写ベルト３６はベルトクリーナ２９により残留トナーが除去される。
【００４０】
なお、２次転写ロール２８及びベルトクリーナ２９は、中間転写ベルト３６と離接（離隔および接触）自在に配設されており、カラー画像が形成される場合には最終色の未定着トナー像が中間転写ベルト３６に１次転写されるまで、中間転写ベルト３６から離隔している。
【００４１】
トナー像が２次転写された記録シートＳは、定着装置２７の加熱ロール２５と加圧ロール２３とが圧接する領域（ニップ）により構成された定着領域に搬送される。定着領域を通過する記録シートＳは、定着装置２７により加熱定着される。トナー像が加熱定着された記録シートＳは、シート排出ロール２１に搬送され、画像形成装置１０の上部に形成された排紙トレイ１９へ排出される。
【００４２】
両面印刷時は、シート排出ロール２１によりスイッチバックされて、シート反転路１７を搬送され、記録シートＳの表裏が逆転した状態でレジロール３７に再送される。シート反転路１７は、後述する反転ユニット（追加ユニット）５４が装着された場合に画像形成装置１０内部に形成され、反転路搬送方向上流側の上流側反転路１７Ａと、中流側反転路１７Ｂと、下流側反転路１７Ｃとを有する。
【００４３】
（本実施形態に係る開閉部の開閉機構）
次に、本実施形態に係る開閉部６０及びその開閉機構について説明する。
【００４４】
図２には、本実施形態に係る画像形成装置において、開閉カバー５０を単体で開放した状態が示されている。なお、図２には、後述する反転ユニット５４が回転ユニット５２に装着された状態が示されている。図３には、本実施形態に係る画像形成装置において、開閉カバー５０及び回転ユニット５２を開放した状態が示されている。
【００４５】
本実施形態に係る開閉部６０は、図２及び図３に示すように、装置本体１２に開閉可能に取り付けられた開閉カバー５０と、同じく、装置本体１２に開閉可能に取り付けられた回転ユニット５２とを備えて構成されている。
【００４６】
開閉カバー５０には、シート排出ロール２１の一方（図１において上部側）及び手差し給紙トレイ１３が設けられており、このシート排出ロール２１の一方及び手差し給紙トレイ１３は、開閉カバー５０と一体に開閉される。
【００４７】
回転ユニット５２は、開閉カバー５０と装置本体１２との間の位置において、装置本体１２に回転可能に取り付けられている。回転ユニット５２には、搬送ロール対１１Ａ、１１Ｂ、２次転写ロール２８、定着装置２７及び手差し給紙ロール３３が設けられており、搬送ロール対１１Ａ、１１Ｂ、２次転写ロール２８、定着装置２７及び手差し給紙ロール３３は、回転ユニット５２と一体に回転して開閉される。
【００４８】
開閉カバー５０は、図２に示すように、その下部が、軸部５１によって装置本体１２の下部に取り付けられて、装置本体１２に回転可能に支持されている。これにより、開閉カバー５０は、軸部５１を開閉中心（回転中心）として開閉されるようになっている。
【００４９】
回転ユニット５２も同様に、その下部が、軸部５１によって、開閉カバー５０と同軸上に装置本体１２の下部に取り付けられて、装置本体１２に回転可能に支持されている。
【００５０】
開閉カバー５０には、回転ユニット５２と係合する係合部（図示省略）が設けられており、係合部が回転ユニット５２と係合することにより、開閉カバー５０と回転ユニット５２とは結合され、この結合状態において開閉カバー５０及び回転ユニット５２は、一体に回転して開閉される（図３参照）。
【００５１】
この場合は、開閉カバー５０及び回転ユニット５２が、装置本体１２側から装置外側へ（図３においてＡ方向へ）回転して、開位置へ傾倒することにより、装置本体１２の内部及びシート搬送路１５を開放する（図３参照）。シート搬送路１５が開放されることにより、シート搬送路１５で用紙詰まり（ジャム）を起こした記録シートＳを取り除くことができる。また、装置内部が開放されることにより、装置本体１２の内部にある構成部品の交換や保守点検が可能となる。
【００５２】
また、開閉カバー５０及び回転ユニット５２は、装置内部を開放した状態から、装置本体１２側へ（図３においてＢ方向へ）回転して、閉位置へ縦立することにより、装置内部を閉鎖する。
【００５３】
また、開閉カバー５０の係合部と回転ユニット５２との係合が解除することにより、開閉カバー５０と回転ユニット５２とは分離し、この分離状態においては、開閉カバー５０が単体で回転して開閉される（図２参照）。
【００５４】
この場合は、開閉カバー５０が、装置本体１２側から装置外側へ（図２においてＡ方向へ）回転して、開位置へ傾倒することにより、シート反転路１７を開放する（図２参照）。シート反転路１７が開放されることにより、シート反転路１７で用紙詰まり（ジャム）を起こした記録シートＳを取り除くことができる。
【００５５】
また、開閉カバー５０は、開放状態から、装置本体１２側へ（図２においてＢ方向へ）回転して、閉位置へ縦立することにより閉鎖される。
【００５６】
次に、回転ユニット５２に着脱される追加ユニットとしての反転ユニット５４について説明する。
【００５７】
図４には、本実施形態に係る反転ユニット５４を回転ユニット５２に装着した状態が示されている。図５には、本実施形態に係る反転ユニット５４が示されている。図６には、本実施形態に係る回転ユニット５２が示されている。
【００５８】
反転ユニット５４は、図５に示すように、上下方向に延びるガイド部６２と、ガイド部６２の左右両端部に一体的に形成された端壁部６３、６４と、ガイド部６２の上方に配置された後方に延びる上流側ガイド部材６６とを備えている。反転ユニット５４は、上下方向に延びるガイド部６２と後方に延びる上流側ガイド部材６６により、全体として逆Ｌ字形の形状に構成されている。
【００５９】
端壁部６３の上端部には、モータユニットＭが支持されている。また、端壁部６４の上端部には、回転ユニット５２の図示しないコネクタに連結され制御信号の入出力や電源の供給等を行うコネクタ６７が設けられている。
【００６０】
ガイド部６２の前面には、上下方向に延び、シート反転路１７の中流内側ガイド面を構成する中流内側ガイド部６２Ａが形成されている。また、ガイド部６２の上端部と下端部には、それぞれ左右一対の開口部６９が形成されている。各開口部６９には、搬送ロール対３９が配置されている。
【００６１】
両端壁部６３、６４の間には、ガイド部６２の前側を横切る２つの回転軸６５、６８が支持されており、回転軸６５、６８には、搬送ロール対３９の一方が支持されている。端壁部６３には、図示しないギア列が配置されており、モータユニットＭからの駆動がギア列を介して回転軸６５、６８に伝達され、搬送ロール対３９の一方が回転駆動する。
【００６２】
回転ユニット５２の前端面下部には、下流側反転路１７Ｃの内側ガイドである下流側内側ガイド部５３が形成されている。下流側内側ガイド部５３の上部には、反転ユニット５４が装着されるユニット装着用凹部５６が形成されており、このユニット装着用凹部５６と開閉カバー５０の内面とによって囲まれる空間によりユニット装着用空間が構成される。
このユニット装着用空間で、反転ユニット５４は支持される構成となっている。
【００６３】
回転ユニット５２上部の側端部の一方（図６において右端部）には、円孔と円孔から上下に延びる角形孔とを有する形状の鍵穴状の被係合部５８が形成されており、回転ユニット５２上部の側端部の他方（図６において左端部）には、被係合部５８と同様の鍵穴状の被係合部５９が形成されている。
【００６４】
反転ユニット５４には、被係合部５９に差し込まれて係合する係合部６１が設けられており、被係合部５９に係合部６１を差し込んだ状態において、係合部６１に形成されたつまみ５５を回転操作することにより、図４に示すように、反転ユニット５４は回転ユニット５２に保持される。
【００６５】
（本実施形態に係る抵抗付加手段）
次に、反転ユニット５４が回転ユニット５２に装着されると、開閉カバー５０及び回転ユニット５２へ開放抵抗を付加する抵抗付加手段について説明する。
【００６６】
図７には、開閉カバー５０及び回転ユニット５２を一体に開放した状態が、模式的に示されている。図８には、開閉カバー５０を単体で開放した状態において、本実施形態に係る抵抗付加手段としての押しばね７４が設けられた反転ユニット５４が回転ユニット５２に装着される様子が、模式的に示されている。
【００６７】
図９（Ａ）には、本実施形態に係る押しばね７４が設けられた反転ユニット５４が回転ユニット５２に装着された状態が、模式的に示されている。図９（Ｂ）には、本実施形態に係る押しばね７４が設けられた反転ユニット５４が回転ユニット５２に装着された場合において、開閉カバー５０及び回転ユニット５２が一体に開放された状態が、模式的に示されている。
【００６８】
図７に示すように、装置本体１２と開閉カバー５０との間には、引っ張りばね７２が配置されている。引っ張りばね７２は、一端部が開閉カバー５０に連結され、他端部が装置本体１２に連結されている。これにより、引っ張りばね７２は、開閉カバー５０及び回転ユニット５２へ開放抵抗を付与し、引っ張りばね７２が連結されていない場合に比べ、開閉カバー５０の開放速度を緩やかにする。
【００６９】
また、図８に示すように、開閉カバー５０が単体で開放された場合においても、引っ張りばね７２が、開閉カバー５０へ開放抵抗を付与し、引っ張りばね７２が連結されていない場合に比べ、開閉カバー５０の開放速度を緩やかにする。
【００７０】
なお、開閉カバー５０に開放抵抗を付与する構成としては、引っ張りばね７２を設ける構成に限られず、押しばね等の弾性部材を用いる構成や、オイルダンパ等のダンパを用いた構成であっても良い。また、開閉カバー５０にのみ引っ張りばね７２が設けられているが、引っ張りばねなどを回転ユニット５２にも用いて、回転ユニット５２に開放抵抗を付与する構成としてもよい。
【００７１】
反転ユニット５４には、図８に示すように、抵抗付加手段としての押しばね７４が設けられている。押しばね７４は、反転ユニット５４の下部であって、反転ユニット５４の両端壁部６３、６４（図５参照）の少なくとも一方に取り付けられており、押しばね７４の一端部は、反転ユニット５４の端壁部６３、６４の少なくとも一方の端面に当たっている。
【００７２】
また、図８に示すように、装置本体１２の下部には、押しばね７４を受ける受け部７６が設けられている。受け部７６は、屈曲して形成され、その先端部で押しばね７４を受ける構成となっている。
【００７３】
開閉カバー５０が単体で開放された場合において、反転ユニット５４は、回転ユニット５２に装着され、図９（Ａ）に示すように、反転ユニット５４が回転ユニット５２に装着されると、押しばね７４の他端部は、装置本体１２に設けられた受け部７６の先端部に当たった状態となる。これにより、押しばね７４は、反転ユニット５４を後方（装置本体１２側）へ、すなわち、閉じる方向（図９（Ｂ）においてＢ方向）へ押圧する。
【００７４】
図９（Ｂ）に示すように、開閉カバー５０及び回転ユニット５２が一体に開放されると、押しばね７４が反転ユニット５４を押圧することにより、開閉カバー５０及び回転ユニット５２に開放抵抗が付加される。
【００７５】
（第１実施形態の作用）
次に、第１実施形態の作用を説明する。
【００７６】
第１実施形態の構成によれば、装置本体１２に開閉可能に取り付けられた回転ユニット５２に、反転ユニット５４が着脱される。反転ユニット５４が回転ユニット５２に装着されると、反転ユニット５４に設けられた押しばね７４が、回転ユニット５２へ開放抵抗を付加する。これにより、回転ユニット５２を装着することにより、回転ユニット５２の重量が増しても、回転ユニット５２の開閉速度が制御される。
【００７７】
このように、反転ユニット５４を回転ユニット５２に装着することにより、回転ユニット５２へ開放抵抗が付加されるので、別途、開閉抵抗を付加するための作業を必要とせず、確実に、回転ユニット５２の重量が変化した場合に開閉速度が制御される。
【００７８】
また、本実施形態では、押しばね７４によって回転ユニット５２へ開放抵抗が付加されるので、簡易な構成で、確実に、回転ユニット５２の重量が変化した場合に開閉速度が制御される。
【００７９】
（第１実施形態の第１変形例）
上記の例では、押しばね７４を用いて、開閉カバー５０及び回転ユニット５２に開放抵抗が付加する構成であったが、押しばね７４に替えて引っ張りばね７８を用いた変形例であっても良い。
【００８０】
図１０には、開閉カバー５０が単体で開放された状態において、第１変形例に係る抵抗付加手段としての引っ張りばね７８が設けられた反転ユニット５４が回転ユニット５２に装着される様子が、模式的に示されている。
【００８１】
図１１（Ａ）には、第１変形例に係る引っ張りばね７８が設けられた反転ユニット５４が回転ユニット５２に装着された状態が、模式的に示されている。図９（Ｂ）には、第１変形例に係る引っ張りばね７８が設けられた反転ユニット５４が回転ユニット５２に装着された場合において、開閉カバー５０及び回転ユニット５２が一体に開放された状態が、模式的に示されている。
【００８２】
引っ張りばね７８の一端部は、図１０に示すように、反転ユニット５４に回転可能に連結されている。引っ張りばね７８の他端部には、装置本体１２に形成された軸部７５に掛け止めされる掛止め部としてのフック７７が設けられている。
【００８３】
図１０に示すように、開閉カバー５０が単体で開放された場合において、反転ユニット５４は、回転ユニット５２に装着され、図１１（Ａ）に示すように、反転ユニット５４が回転ユニット５２に装着されると、引っ張りばね７８の他端部は、装置本体１２に設けられた軸部７５に掛け止めされた状態となり、引っ張りばね７８の他端部は装置本体１２と連結される。すなわち、引っ張りばね７８が軸部７５に掛け止めされた状態において、反転ユニット５４の回転ユニット５２への装着が完了する。これにより、引っ張りばね７８は、反転ユニット５４を後方（装置本体１２側）へ、すなわち、閉じる方向（図１１（Ｂ）においてＢ方向）へ引っ張り上げる。
【００８４】
図１１（Ｂ）に示すように、開閉カバー５０及び回転ユニット５２が一体に開放されると、引っ張りばね７８が反転ユニット５４を引っ張りあげることにより、開閉カバー５０及び回転ユニット５２に開放抵抗が付加される。
【００８５】
このように、第１変形例では、引っ張りばね７８によって、回転ユニット５２へ開放抵抗が付加されるので、簡易な構成で、確実に、回転ユニット５２の重量が変化した場合に開閉速度が制御される。
【００８６】
（第１実施形態の第２変形例）
上記の例では、押しばね７４又は引っ張りばね７８を用いて、開閉カバー５０及び回転ユニット５２に開放抵抗が付加する構成であったが、これに替えて、ダンパ部を装置本体に設け、一端部が反転ユニット５４に連結され他端部がダンパ部に連結可能なリンク部材を設ける変形例であっても良い。
【００８７】
図１２（Ａ）には、第２変形例に係る開閉カバー５０が単体で開放された状態が示されている。図１２（Ｂ）には、第２変形例に係る開閉カバー５０及び回転ユニット５２が一体に開放された状態が示されている。
【００８８】
図１３（Ａ）には、第２変形例に係る開閉カバー５０が単体で開放された状態において、リンク部材８２が設けられた反転ユニット５４が回転ユニット５２に装着される様子が、模式的に示されている。図１３（Ｂ）には、リンク部材８２が設けられた反転ユニット５４が回転ユニット５２に装着された場合において、開閉カバー５０及び回転ユニット５２が一体に開放された状態が、模式的に示されている。
【００８９】
回転ユニット５２には、図１２（Ａ）に示すように、リンク部材８０の一端部が回転可能に連結されている。リンク部材８０の他端部は、図示しないダンパ部に連結されており、図１２（Ｂ）に示すように、回転ユニット５２が開放されると、このダンパ部が、回転ユニット５２へ開放抵抗を付与する。これにより、回転ユニット５２の開放速度が緩やかになる。なお、リンク部材８０は、回転ユニット５２の一方の側部（図１２（Ａ）において左側部）に設けられており、他方の側部には、設けられていない。また、ダンパ部としては、オイルダンパ、ダンパ作用を有する弾性部材（引っ張りばね等）などを用いることが可能である。
【００９０】
図１３（Ａ）に示すように、装置本体１２には、回転ユニット５２に開放抵抗を付加するためのダンパ部８４が設けられている。
【００９１】
反転ユニット５４には、リンク部材８２の一端部が回転可能に連結されている。リンク部材８２の他端部には、ダンパ部８４に掛け止め可能な掛止め部８２Ａが形成されている。この掛止め部８２Ａがダンパ部８４に掛止めされて連結されることにより、ダンパ部８４は、リンク部材８２を介して、回転ユニット５２に開放抵抗を付加する。また、ダンパ部８４としては、オイルダンパ、ダンパ作用を有する弾性部材（引っ張りばね等）などを用いることが可能である。
【００９２】
このように、第２変形例では、ダンパ部８４が装置本体１２側に設けられているので、反転ユニット５４の重量が重くならず、回転ユニット５２の重量変化が小さく、回転ユニット５２の開閉速度が制御しやすい。
【００９３】
〔第２実施形態〕
次に、本発明の第２実施形態について説明する。なお、第１実施形態と同一の部分には同一の符号を付し、説明を省略する。また、画像形成装置の全体構成は、第１実施形態と同一であるので、説明を省略する。
【００９４】
第１実施形態（第１実施形態の第１変形例及び第２変形例を含む）では、弾性部材等の開放抵抗を付加する部材を追加することにより、回転ユニット５２及び回転ユニット５２へ開放抵抗を付加する構成であったが、第２実施形態では、回転ユニット５２及び回転ユニット５２へ開放抵抗を付与する弾性部材の変形量を増大させて、回転ユニット５２及び回転ユニット５２へ開放抵抗を付加する構成となっている。すなわち、もともと設けられている弾性部材を利用して、開閉部へ開放抵抗を付加する。
【００９５】
図１４（Ａ）及び図１５（Ａ）には、第２実施形態に係る反転ユニット５４が回転ユニット５２に装着されていない状態が示されている。図１４（Ｂ）及び図１５（Ｂ）には、第２実施形態に係る反転ユニット５４が回転ユニット５２に装着された状態が示されている。
【００９６】
図１６には、第２実施形態に係る反転ユニット５４が回転ユニット５２に装着された状態において、開閉カバー５０及び回転ユニット５２が一体に開放された状態が示されている。
【００９７】
装置本体１２には、図１４（Ａ）に示すように、回転軸８５が設けられている。回転軸８５は、装置本体１２の本体フレームに形成されたガイド孔８６にスライド可能に取り付けられており、ガイド孔８６に沿ってスライド移動する。
【００９８】
回転軸８５には、レール部材８７の一端部が、スライド移動可能であると共に、回転可能に取り付けられている。これにより、レール部材８７は、レール部材８７の長手方向に沿ってスライド移動すると共に、回転軸８５の軸回りに回転する。
【００９９】
レール部材８７の先端部（他端部）は、図１４（Ａ）及び図１５（Ａ）に示すように、回転ユニット５２に設けられた軸部８８が差し込まれる差込溝８１が形成されており、軸部８８が差込溝８１に差し込まれることにより、レール部材８７は回転ユニット５２に回転可能に取り付けられる。
【０１００】
また、レール部材８７には、押しばね８９が設けられている。押しばね８９は、回転軸８５とレール部材８７に設けられた止板９０との間で挟まれ、レール部材８７を装置本体側１２へ押圧する。これにより、反転ユニット５４は、レール部材８７を介して後方（装置本体１２側）へ、すなわち、閉じる方向へ押圧される。
【０１０１】
また、レール部材８７の先端部には、傾斜面８７Ａが形成されており、反転ユニット５４が回転ユニット５２に装着される際に、反転ユニット５４に形成された係合部としての軸部９１が、傾斜面８７Ａに当たるようになっている。軸部９１が傾斜面８７Ａに当って、傾斜面８７Ａが軸部９１に押圧されると、レール部材８７は、開閉カバー５０側へ移動し、軸部９１がレール部材８７の差込溝８１に差し込まれる（図１４（Ｂ）及び図１５（Ｂ）参照）。
【０１０２】
これにより、軸部９１がレール部材８７の先端部と係合し、レール部材８７が開閉カバー５０側へ変位した状態で維持される。これにより、押しばね８９の変形量を増大させて、開閉カバー５０及び回転ユニット５２へ開放抵抗が付加される。
【０１０３】
図１６に示すように、開閉カバー５０及び回転ユニット５２が開放されると、回転軸８５はガイド孔８６に沿ってスライド移動すると共に、レール部材８７は、回転軸８５を回転すると共に、開閉カバー５０側へスライド移動する。これにより、レール部材８７は、回転ユニット５２及び回転ユニット５２へ開放抵抗を付与する。
【０１０４】
このように、第２実施形態の構成によれば、弾性部材を追加するのではなく、もともとある弾性部材を利用して、開閉カバー５０及び回転ユニット５２へ開放抵抗を付加する。このため、部品点数の低減になり、装置の省スペース化につながる。
【０１０５】
（第２実施形態の第１変形例）
上記の第２実施形態の例では、押しばね８９を用いていたが、押しばね８９に替えて引っ張りばね９２を用いる変形例であっても良い。
【０１０６】
図１７（Ａ）には、第２実施形態の第１変形例に係る反転ユニット５４が回転ユニット５２に装着されていない状態が示されている。図１７（Ｂ）には、第２実施形態の第１変形例に係る反転ユニット５４が回転ユニット５２に装着された状態が示されている。
【０１０７】
図１８には、第２実施形態の第１変形例に係る反転ユニット５４が回転ユニット５２に装着された状態において、開閉カバー５０及び回転ユニット５２が一体に開放された状態が示されている。
【０１０８】
引っ張りばね９２の一端部は、図１７（Ａ）に示すように、装置本体１２に取り付けられている。引っ張りばね９２の他端部は、リンク部材９５の基端部に連結されている。リンク部材９５の基端部には軸部９４が形成されており、軸部９４は装置本体１２に形成されたガイド溝９３にスライド可能に取り付けられている。ガイド溝９３は装置本体１２の横方向に延びており、リンク部材９５はガイド溝９３に沿ってスライド移動する。
【０１０９】
リンク部材９５の先端部には、回転ユニット５２に形成された軸部９６に掛け止めされる掛止め部９７が設けられている。掛止め部９７が軸部９６に掛け止めされることにより、は、引っ張りばね９２は、回転ユニット５２に着脱可能に取り付けられる。
【０１１０】
反転ユニット５４には、リンク部材９５の掛止め部９７が掛止め可能な取付部としての軸部９９が設けられている。反転ユニット５４が回転ユニット５２に装着される際は、掛止め部９７が軸部９９に掛け止めされることにより、反転ユニット５４の回転ユニット５２への装着が完了する構成となっている。
【０１１１】
これにように、掛止め部９７が軸部９９に掛け止めされることより、リンク部材９５を介して、引っ張りばね９２の変形量を増大させて、開閉カバー５０及び回転ユニット５２へ開放抵抗を付加する。
【０１１２】
図１８に示すように、開閉カバー５０及び回転ユニット５２が開放されると、リンク部材９５はガイド溝９３に沿って、開閉カバー５０側へスライド移動すると共に、軸部９３を回転中心にして回転する。これにより、引っ張りばね９２はガイド部材９５を介して、回転ユニット５２及び回転ユニット５２へ開放抵抗を付与する。
【０１１３】
なお、リンク部材９５の先端部は、上記の第２実施形態の例のように、差込溝８１及び傾斜面８７Ａを形成する構成であっても良い。
【０１１４】
本発明は、本実施形態に限るものではなく、本発明の要旨を逸脱しない限りにおいて、種々の変形、変更、改良が可能である。
【図面の簡単な説明】
【０１１５】
【図１】図１は、本発明の第１実施形態に係る画像形成装置の全体構成を示す断面図である。
【図２】図２は、第１実施形態に係る画像形成装置において、開閉カバーを単体で開放した状態を示す斜視図である。
【図３】図３は、第１実施形態に係る画像形成装置において、開閉カバー及び回転ユニットを開放した状態を示す斜視図である。
【図４】図４は、第１実施形態に係る反転ユニットを回転ユニットに装着した状態を示す斜視図である。
【図５】図５は、第１実施形態に係る反転ユニットを示す斜視図である。
【図６】図６は、第１実施形態に係る回転ユニットを示す斜視図である。
【図７】図７は、第１実施形態に係る開閉カバー及び回転ユニットが一体に開放された状態を模式的に示す図である。
【図８】図８は、第１実施形態に係る開閉カバーが単体で開放された状態において、本実施形態に係る抵抗付加手段としての押しばねが設けられた反転ユニットが回転ユニットに装着される様子を模式的に示す図である。
【図９】図９（Ａ）は、第１実施形態に係る押しばねが設けられた反転ユニットを回転ユニットに装着した状態を模式的に示す図であり、図９（Ｂ）は、第１実施形態に係る押しばねが設けられた反転ユニットが回転ユニットに装着された場合において、開閉カバー及び回転ユニットが一体に開放された状態を模式的に示す図である。
【図１０】図１０は、第１実施形態の第１変形例に係る開閉カバーが単体で開放された状態において、本実施形態に係る抵抗付加手段としての引っ張りばねが設けられた反転ユニットが回転ユニットに装着される様子を模式的に示す図である。
【図１１】図１１（Ａ）は、第１実施形態の第１変形例に係る引っ張りばねが設けられた反転ユニットを回転ユニットに装着した状態を模式的に示す図であり、図１１（Ｂ）は、第１実施形態の第１変形例に係る引っ張りばねが設けられた反転ユニットが回転ユニットに装着された場合において、開閉カバー及び回転ユニットが一体に開放された状態を模式的に示す図である。
【図１２】図１２（Ａ）は、第１実施形態の第２変形例に係る開閉カバーが単体で開放された状態を示す斜視図であり、図１２（Ｂ）は、第１実施形態の第２変形例に係る開閉カバー及び回転ユニットが一体に開放された状態を示す斜視図である。
【図１３】図１３（Ａ）は、第１実施形態の第２変形例に係る開閉カバーが単体で開放された状態において、リンク部材が設けられた反転ユニットが回転ユニットに装着される様子を、模式的に示す斜視図であり、図１３（Ｂ）は、リンク部材が設けられた反転ユニットが回転ユニットに装着された場合において、開閉カバー及び回転ユニットが一体に開放された状態を模式的に示す斜視図である。
【図１４】図１４（Ａ）は、第２実施形態に係る反転ユニットが回転ユニットに装着されていない状態を示す斜視図であり、図１４（Ｂ）は、第２実施形態に係る反転ユニットが回転ユニットに装着された状態を示す斜視図である。
【図１５】図１５（Ａ）は、第２実施形態に係る反転ユニットが回転ユニットに装着されていない状態を示す図であり、図１５（Ｂ）は、第２実施形態に係る反転ユニットが回転ユニットに装着された状態を示す図である。
【図１６】図１６は、第２実施形態に係る反転ユニットが回転ユニットに装着された状態において、開閉カバー及び回転ユニットが一体に開放された状態を示す図である。
【図１７】図１７（Ａ）は、第２実施形態の第１変形例に係る反転ユニットが回転ユニットに装着されていない状態を示す図であり、図１７（Ｂ）は、第２実施形態の第１変形例に係る反転ユニットが回転ユニットに装着された状態を示す図である。
【図１８】図１８は、第２実施形態の第１変形例に係る反転ユニットが回転ユニットに装着された状態において、開閉カバー及び回転ユニットが一体に開放された状態を示す図である。
【符号の説明】
【０１１６】
１０  画像形成装置
１２  装置本体
５０  開閉カバー（開閉部）
５２  回転ユニット（開閉部）
５４  反転ユニット（追加ユニット）
７４  押しばね（抵抗付加手段）
７８  引っ張りばね（抵抗付加手段）
８２  リンク部材（抵抗付加手段）
８４  ダンパ部（抵抗付加手段）
８７  レール部材（抵抗付加手段）
８９  押しばね（抵抗付加手段、弾性部材）
９１  軸部（抵抗付加手段、弾性部材変形手段、係合部）
９２  引っ張りばね（抵抗付加手段、弾性部材）
９９  軸部（抵抗付加手段、弾性部材変形手段、取付部）
【図１】
2008116802.tif 000003
【図２】
2008116802.tif 000004
【図３】
2008116802.tif 000005
【図４】
2008116802.tif 000006
【図５】
2008116802.tif 000007
【図６】
2008116802.tif 000008
【図７】
2008116802.tif 000009
【図８】
2008116802.tif 000010
【図９】
2008116802.tif 000011
【図１０】
2008116802.tif 000012
【図１１】
2008116802.tif 000013
【図１２】
2008116802.tif 000014
【図１３】
2008116802.tif 000015
【図１４】
2008116802.tif 000016
【図１５】
2008116802.tif 000017
【図１６】
2008116802.tif 000018
【図１７】
2008116802.tif 000019
【図１８】
2008116802.tif 000020